(57)【要約】【課題】聴取位置に依存することなく、視聴者が最適な音声で聴取することが可能な出力システムを提供する。【解決手段】音声出力可能な第１の出力装置１０１に対する可搬可能かつ音声出力可能な第２の出力装置２０１の位置、及び第１の出力装置に設定される音声設定を検出し、検出された位置と音声設定とに応じて、位置と出力する音声との関係を示す情報に基づき、第１の出力装置から音声を出力させるとともに、出力すべき音声と第１の出力装置から出力される音声との差分の音声を第２の出力装置から出力させることにより、聴取位置によらず、視聴者が最適な音声を聴取できるようにする。【選択図】図１
2010200280.tif 000002
【特許請求の範囲】
【請求項１】
音声出力可能な第１の出力装置、及び可搬可能かつ音声出力可能な第２の出力装置を有する出力システムであって、
前記第１の出力装置に対する前記第２の出力装置の位置を検出する位置検出手段と、
前記第１の出力装置に設定される音声設定を検出する音声設定検出手段と、
前記位置検出手段により検出された位置と前記音声設定検出手段により検出された音声設定とに応じて、前記位置と出力する音声との関係を示す情報に基づき、前記第１の出力装置から音声を出力させるとともに、出力すべき音声と前記第１の出力装置から出力される音声との差分の音声を前記第２の出力装置から出力させる音声出力制御手段とを備えることを特徴とする出力システム。
【請求項２】
前記位置と出力する音声との関係を示す前記情報は、前記位置に応じた前記第１の出力装置が出力する音量の上限に関する情報を含み、
前記音声出力制御手段は、前記音声設定検出手段により検出された音声設定により設定される音量が前記上限を超える場合には、前記第１の出力装置から前記上限の音量で音声を出力させ、前記差分の音声を前記第２の出力装置から出力させることを特徴とする請求項１記載の出力システム。
【請求項３】
前記位置と出力する音声との関係を示す前記情報は、前記位置と前記第１の出力装置に係る音場に関する情報を含み、
前記音声出力制御手段は、前記位置と前記第１の出力装置に係る音場に関する情報に基づき、前記位置検出手段により検出された位置と前記音場における所定の聴取位置とのずれを補正する前記差分の音声を前記第２の出力装置から出力させることを特徴とする請求項１記載の出力システム。
【請求項４】
複数の前記第２の出力装置を有し、
前記位置検出手段は、前記第１の出力装置に対する前記第２の出力装置の各々の位置を検出し、
前記音声出力制御手段は、前記位置検出手段により検出された位置と前記音声設定検出手段により検出された音声設定とに応じて、前記位置と出力する音声との関係を示す情報に基づき、前記第１の出力装置から音声を出力させるとともに、出力すべき音声と前記第１の出力装置から出力される音声との差分の音声を前記第２の出力装置の各々から出力させることを特徴とする請求項１記載の出力システム。
【請求項５】
前記位置と出力する音声との関係を示す前記情報を記憶する記憶手段を備えることを特徴とする請求項１〜４の何れか１項に記載の出力システム。
【請求項６】
前記第１の出力装置は、映像を表示する表示手段を有することを特徴とする請求項１〜５の何れか１項に記載の出力システム。
【請求項７】
音声出力可能な第１の出力手段と、
前記第１の出力手段とは異なる可搬可能かつ音声出力可能な第２の出力手段の前記第１の出力手段に対する位置を検出する位置検出手段と、
前記第１の出力手段に設定される音声設定を検出する音声設定検出手段と、
前記位置検出手段により検出された位置と前記音声設定検出手段により検出された音声設定とに応じて、前記位置と出力する音声との関係を示す情報に基づき、前記第１の出力手段から音声を出力させるとともに、出力すべき音声と前記第１の出力手段から出力される音声との差分の音声を前記第２の出力手段から出力させる音声出力制御手段とを備えることを特徴とする出力制御装置。
【請求項８】
請求項７記載の出力制御装置と、映像を表示する表示装置とを有する出力システム。
【請求項９】
音声出力可能な第１の出力手段とは異なる可搬可能かつ音声出力可能な第２の出力手段の前記第１の出力手段に対する位置を検出する位置検出工程と、
前記第１の出力手段に設定される音声設定を検出する音声設定検出工程と、
前記位置検出工程にて検出された位置と前記音声設定検出工程にて検出された音声設定とに応じて、前記位置と出力する音声との関係を示す情報に基づき、前記第１の出力手段から音声を出力させるとともに、出力すべき音声と前記第１の出力手段から出力される音声との差分の音声を前記第２の出力手段から出力させる音声出力制御工程とを有することを特徴とする出力制御方法。
【請求項１０】
音声出力可能な第１の出力手段とは異なる可搬可能かつ音声出力可能な第２の出力手段の前記第１の出力手段に対する位置を検出する位置検出ステップと、
前記第１の出力手段に設定される音声設定を検出する音声設定検出ステップと、
前記位置検出ステップにて検出された位置と前記音声設定検出ステップにて検出された音声設定とに応じて、前記位置と出力する音声との関係を示す情報に基づき、前記第１の出力手段から音声を出力させるとともに、出力すべき音声と前記第１の出力手段から出力される音声との差分の音声を前記第２の出力手段から出力させる音声出力制御ステップとをコンピュータに実行させるためのプログラム。
【発明の詳細な説明】
【技術分野】
【０００１】
本発明は、出力システム、出力制御装置、出力制御方法、及びプログラムに関し、それぞれが音声出力機能を有する複数の出力装置からなる出力システムに用いて好適なものである。
【背景技術】
【０００２】
近年、テレビジョン受像機（以下、「テレビ」とも称す。）においては、液晶テレビやプラズマテレビに代表されるように大画面化が進み、それに伴いテレビを視聴可能な視聴位置の範囲が広がっている。このような状況においては、視聴距離が長くなる程にテレビから出力する音声の音量が大きくなり、音量を過大にすることから周囲に対して迷惑を及ぼすことが問題となっている。
【０００３】
従来、テレビにおいて、リモコン装置にスピーカを設けて、リモコン装置のスピーカからテレビ音声を出力することで、テレビの音量を過大にすることを防止するものが提案されている（例えば、特許文献１参照。）。また、携帯型の表示装置と動画像音声送信装置との距離に応じて、最適な音声の出力先を自動で切り替えて出力するものが提案されている（例えば、特許文献２参照。）。
【０００４】
一方、ＤＶＤやデジタル放送等のマルチチャンネル音響を伴うデジタル映像コンテンツの普及によって、映像とともにサラウンド音響を再生することが可能な音響装置が普及している。これらの音響装置においては、ある聴取点において最適な音場が構成されるようになっている。したがって、聴取可能な位置の範囲が広い状況において、聴取点が最適な聴取点からずれた場合には、最適な音場が構成されない。
【０００５】
従来、テレビにおいて、リモコン装置の位置から視聴位置を検出し、視聴位置に応じた音声出力モードでテレビのスピーカから音声を出力することで、視聴位置に依存せずに最適なリスニング環境を実現するものが提案されている（例えば、特許文献３参照。）。
【先行技術文献】
【特許文献】
【０００６】
【特許文献１】特開平７−１７７３７６号公報
【特許文献２】特開２００２−３２５２１１号公報
【特許文献３】特開２００７−１４２８５６号公報
【発明の概要】
【発明が解決しようとする課題】
【０００７】
しかしながら、特許文献１に開示されたような方法では、テレビから出力される音声とリモコン装置のスピーカから出力される音声は、それぞれ独立に制御されているために、音量の調節が煩雑で難しいという問題があった。また、特許文献２に開示されたような方法では、音声の出力先を切り替えるために音声が途切れたり、距離に応じて出力先を切り替えるために視聴位置と音源との距離が変わることで音声にずれを生じさせたりするという問題があった。また、特許文献３に開示されたような方法では、ひとつの視聴位置に対して最適なリスニング環境を実現するために、複数人が異なる視聴位置で視聴を行っている場合には、視聴者によっては最適な音場を享受できないという問題があった。
【０００８】
本発明は、このような事情に鑑みてなされたものであり、聴取位置に依存することなく、視聴者が最適な音声で聴取することが可能な出力システムを提供することを目的とする。
【課題を解決するための手段】
【０００９】
本発明に係る出力システムは、音声出力可能な第１の出力装置、及び可搬可能かつ音声出力可能な第２の出力装置を有する出力システムであって、前記第１の出力装置に対する前記第２の出力装置の位置を検出する位置検出手段と、前記第１の出力装置に設定される音声設定を検出する音声設定検出手段と、前記位置検出手段により検出された位置と前記音声設定検出手段により検出された音声設定とに応じて、前記位置と出力する音声との関係を示す情報に基づき、前記第１の出力装置から音声を出力させるとともに、出力すべき音声と前記第１の出力装置から出力される音声との差分の音声を前記第２の出力装置から出力させる音声出力制御手段とを備えることを特徴とする。
本発明に係る出力制御装置は、音声出力可能な第１の出力手段と、前記第１の出力手段とは異なる可搬可能かつ音声出力可能な第２の出力手段の前記第１の出力手段に対する位置を検出する位置検出手段と、前記第１の出力手段に設定される音声設定を検出する音声設定検出手段と、前記位置検出手段により検出された位置と前記音声設定検出手段により検出された音声設定とに応じて、前記位置と出力する音声との関係を示す情報に基づき、前記第１の出力手段から音声を出力させるとともに、出力すべき音声と前記第１の出力手段から出力される音声との差分の音声を前記第２の出力手段から出力させる音声出力制御手段とを備えることを特徴とする。
本発明に係る出力制御方法は、音声出力可能な第１の出力手段とは異なる可搬可能かつ音声出力可能な第２の出力手段の前記第１の出力手段に対する位置を検出する位置検出工程と、前記第１の出力手段に設定される音声設定を検出する音声設定検出工程と、前記位置検出工程にて検出された位置と前記音声設定検出工程にて検出された音声設定とに応じて、前記位置と出力する音声との関係を示す情報に基づき、前記第１の出力手段から音声を出力させるとともに、出力すべき音声と前記第１の出力手段から出力される音声との差分の音声を前記第２の出力手段から出力させる音声出力制御工程とを有することを特徴とする。
本発明に係るプログラムは、音声出力可能な第１の出力手段とは異なる可搬可能かつ音声出力可能な第２の出力手段の前記第１の出力手段に対する位置を検出する位置検出ステップと、前記第１の出力手段に設定される音声設定を検出する音声設定検出ステップと、前記位置検出ステップにて検出された位置と前記音声設定検出ステップにて検出された音声設定とに応じて、前記位置と出力する音声との関係を示す情報に基づき、前記第１の出力手段から音声を出力させるとともに、出力すべき音声と前記第１の出力手段から出力される音声との差分の音声を前記第２の出力手段から出力させる音声出力制御ステップとをコンピュータに実行させることを特徴とする。
【発明の効果】
【００１０】
本発明によれば、第１の出力装置に対する第２の出力装置の位置、及び第１の出力装置に設定される音声設定に応じて、出力すべき音声と第１の出力装置から出力される音声との差分の音声を第２の出力装置から出力させる。これにより、聴取位置に依存することなく、視聴者が最適な音声で聴取することが可能な出力システムを提供することが可能となる。
【図面の簡単な説明】
【００１１】
【図１】本発明の第１の実施形態に係る音声出力システムの構成例を示す図である。
【図２】第１の実施形態に係る音声出力システムでの処理の一例を示すフローチャートである。
【図３】第１の実施形態における位置と出力する音声との関係を示す情報の一例を示す図である。
【図４】第１の実施形態における位置と出力する音声との関係を示す情報の他の例を示す図である。
【図５】第１の実施形態における距離と音声の減衰レベルの関係の一例を示す図である。
【図６】本発明の第２の実施形態に係る音声出力システムの構成例を示す図である。
【図７】第２の実施形態に係る音声出力システムの主要部の構成例を示す図である。
【図８】第２の実施形態における音場補正用のテーブルデータの一例を示す図である。
【図９】第２の実施形態における音場座標を説明するための図である。
【図１０】第２の実施形態に係る音声出力システムでの処理の一例を示すフローチャートである。
【図１１】本実施形態における据置装置を実現可能なコンピュータ機能を示すブロック図である。
【発明を実施するための形態】
【００１２】
以下、本発明の実施形態を図面に基づいて説明する。
【００１３】
（第１の実施形態）
本発明の第１の実施形態について説明する。
図１は、第１の実施形態に係る音声出力システムの構成例を示すブロック図である。
【００１４】
図１において、音声出力可能な第１の出力装置（出力制御装置）としての据置装置１０１は、例えばテレビジョン受像機（テレビ）である。据置装置１０１は、デジタル放送やアナログ放送を受信してコンテンツの表示を行うとともにコンテンツの音声を出力する。
【００１５】
また、可搬可能かつ音声出力可能な第２の出力装置としての音声出力補正装置２０１は、例えば音声出力機能を有するリモコンである。音声出力補正装置２０１は、赤外光を用いた通信路を介して、視聴者より入力された選局や音量調節といった指示を据置装置１０１に送信したり、据置装置１０１より入力された音声信号に従って音声を出力したりする。
【００１６】
まず、据置装置１０１の構成について説明する。
放送受信部１０２は、放送波を受信した後にストリーム解析を行い、映像信号と音声信号とに分離する。デコーダ部１０３は、入力された映像信号及び音声信号を復号する。デコーダ部１０３から出力された映像信号は、画像処理部１０４で高画質処理が施され、表示制御部１０５を介して表示パネル（表示装置）１０６へ表示される。一方、デコーダ部１０３から出力された音声信号は、音声処理部１０７で高音質処理が施され、音声出力制御部１０８へ出力される。
【００１７】
音声設定検出部１０９は、通信制御部１１３を介して音声出力補正装置２０１から送信された音声設定に係る信号に基づいて、据置装置１０１に設定される音声設定を検出して音声出力制御部１０８へ出力する。また、位置検出部１１０は、同様に通信制御部１１３を介して受信した音声出力補正装置２０１からの信号に基づいて、据置装置１０１に対する音声出力補正装置２０１の位置を検出して音声出力制御部１０８へ出力する。
【００１８】
本実施形態においては、据置装置１０１に対する音声出力補正装置２０１の位置を示す位置情報として、据置装置１０１と音声出力補正装置２０１との距離を用いる。ここで、距離検出の方法として、例えば次の方法を用いることができる。すなわち、伝播速度の異なる２つの信号として、赤外線信号と超音波信号を音声出力補正装置２０１より出力する。そして、位置検出部１１０は、通信制御部１１３を介して入力された２つの信号の位相差から、据置装置１０１と音声出力補正装置２０１との距離を算出する。
【００１９】
記憶部１１１は、据置装置１０１に対する音声出力補正装置２０１の位置と、出力する音声との関係を示す情報を記憶する。ここで、位置と出力する音声との関係を示す情報とは、例えば、図３に示すような据置装置１０１と音声出力補正装置２０１との距離、及びそれに対応した据置装置１０１から出力する音量の最大値（上限）の関係を示す情報である。この位置と出力する音声との関係を示す情報は、例えばテーブルデータ形式で備えられる。
【００２０】
図３は、記憶部１１１に記憶される位置と出力する音声との関係を示すテーブルデータの一例を示す図である。図３に示した例では、例えば据置装置１０１と音声出力補正装置２０１との距離が４ｍであった場合には、据置装置１０１から出力される音声の最大音量は「１９」と制限されている。このような位置と出力する音声との関係を示すテーブルデータは、機器特有の設定値が用意されていても、あるいは視聴者によって自由に設定できるものであっても構わない。また、このような情報としては、例えば図４に示すような据置装置１０１と音声出力補正装置２０１との距離と、それに応じた据置装置１０１から出力する音量の最大値（上限）との関係を示す関数であってもよい。
【００２１】
音声出力制御部１０８は、位置検出部１１０から入力された位置情報（据置装置１０１と音声出力補正装置２０１との距離）を基に、記憶部１１１に記憶されている位置と出力する音声との関係を示す情報を参照する。音声出力制御部１０８は、参照した結果と音声設定検出部１０９から入力された音声設定（設定音量）とを比較して、据置装置１０１の音声出力部１１２から出力する音声データと音声出力補正装置２０１の音声出力部２０４から出力する音声データを生成する。据置装置１０１の音声出力部（第１の出力手段）１１２は、例えばスピーカで構成され、音声出力制御部１０８より入力された音声データ（音声信号）に従って音声を出力する。
【００２２】
次に、音声出力補正装置２０１の構成について説明する。
操作入力部２０２は、電源ボタンや選局ボタン、音声レベル調節ボタンなどの操作ボタンを有し、視聴者からのコンテンツの選局指示や音量設定などの指示を受ける。操作入力部２０２より入力された指示は、赤外線により通信制御部２０３から据置装置１０１に送信される。また、本実施形態においては、通信制御部２０３は、据置装置１０１と音声出力補正装置２０１との距離を測定するための超音波信号を同時に出力する。音声出力部２０４は、例えばスピーカで構成され、通信制御部２０３を介して据置装置１０１より入力された音声データ（音声信号）に従って音声を出力する。
【００２３】
図２は、第１の実施形態に係る音声出力システムにおける音声出力制御部１０８での処理の一例を示すフローチャートである。
【００２４】
まず、ステップＳ１０にて、音声出力制御部１０８は、音声設定検出部１０９から音声設定が入力され、ステップＳ１１にて、音声出力制御部１０８は、位置検出部１１０から位置情報（据置装置１０１と音声出力補正装置２０１との距離）が入力される。次に、ステップＳ１２にて、音声出力制御部１０８は、ステップＳ１１において入力された距離に応じて、位置と出力する音声との関係を示す情報（ここでは、テーブルデータとする）より据置装置１０１から出力する音量の最大値を参照する。
【００２５】
続いて、ステップＳ１３にて、音声出力制御部１０８は、ステップＳ１０において入力された音声設定で設定される音量と、ステップＳ１２において参照して得られた音量の最大値とを比較する。
【００２６】
その比較の結果、設定音量が据置装置１０１から出力する音量の最大値を超える場合には、ステップＳ１４にて、音声出力制御部１０８は、音声出力補正装置２０１から出力すべき補正音声を算出する。この補正音声は、設定される音量と参照された音量の最大値との差分、及びステップＳ１１において入力された距離に応じて、算出される。すなわち、本来出力すべき音声と据置装置１０１から出力される音声との差分の音声が据置装置１０１と音声出力補正装置２０１との距離によって減衰されることを考慮して、補正音声の音量を算出する。
【００２７】
本実施形態においては、音声出力制御部１０８は、図５に示すような距離と音声の減衰レベルとの関係より距離に応じた減衰率を決定し、差分の音声に減衰率を乗ずることで補正音声の音量を求める。このように、距離によって生じる音声の減衰を考慮して音声出力補正装置２０１から出力する音声を決定することで、音声のずれを生じさせることなく所望の音声を達成できる。
【００２８】
そして、ステップＳ１５にて、音声出力制御部１０８は、ステップＳ１４において算出した補正音声に係る音声データ（音声信号）を音声出力補正装置２０１に送信する。また、ステップＳ１６にて、音声出力制御部１０８は、ステップＳ１２において参照して得られた据置装置１０１から出力する音量の最大値を基本音声として、その音声データ（音声信号）を据置装置１０１の音声出力部１１２に出力する。
【００２９】
一方、ステップＳ１３での比較の結果、設定音量が据置装置１０１から出力する音量の最大値を超えない場合には、ステップＳ１７にて、音声出力制御部１０８は、入力された音声設定に基づき音声データ（音声信号）を生成する。そして、音声出力制御部１０８は、生成した音声データ（音声信号）を据置装置１０１の音声出力部１１２に出力する。
【００３０】
以上のようにして、設定音量が据置装置１０１からの出力が許容された音量の最大値を超える場合には、据置装置１０１の音声出力部１１２から基本音声としての音声が出力されるとともに、音声出力補正装置２０１の音声出力部２０４から補正音声が出力される。また、設定音量が据置装置１０１からの出力が許容された音量の最大値を超えない場合には、据置装置１０１の音声出力部１１２からのみ音声が出力される。
【００３１】
第１の実施形態によれば、据置装置１０１と音声出力補正装置２０１との距離が遠い場合には、据置装置１０１は予め設定された最大音量以内で音声を出力する。そして、指示された設定音量が最大音量を超える場合には、出力すべき音声と据置装置１０１から出力される音声との差分の音声を音声出力補正装置２０１から出力する。これにより、据置装置１０１と視聴者の聴取位置が遠い場合であっても、周囲に迷惑をかけることなく、最適な音声で聴取することが可能となる。したがって、聴取位置に依存することなく、視聴者は最適な音声で聴取することができる。
【００３２】
（第２の実施形態）
次に、本発明の第２の実施形態について説明する。
【００３３】
図６は、第２の実施形態に係る音声出力システムの構成例を示す図である。
図６に示す第２の実施形態に係る音声出力システムでは、テレビジョン受像機（テレビ）３０１の音声出力において５．１ｃｈのサラウンドが構成されている。図６において、３０２〜３０６はスピーカであり、３０７はサブウーファーを示している。いずれも聴取位置３０８に対して最適な音場を再生するように設置されている。
【００３４】
図７は、第２の実施形態に係る音声出力システムの主要部の構成例を示すブロック図である。この図７において、図１に示したブロック等と同一の機能を有するブロック等には同一の符号を付し、重複する説明は省略する。
【００３５】
図７において、音声出力可能な第１の出力装置（出力制御装置）としての据置装置１０１Ａは、例えばテレビジョン受像機（テレビ）であり、図１に示した据置装置１０１に対応する。また、可搬可能かつ音声出力可能な第２の出力装置としての音声出力補正装置２０１Ａは、例えば音声出力機能を有するリモコンであり、図１に示した音声出力補正装置２０１に対応する。
【００３６】
図７において、音声設定検出部１０９Ａは、通信制御部１１３Ａを介して音声出力補正装置２０１Ａから送信された音声設定に係る信号に基づいて、据置装置１０１Ａに設定される音声設定を検出して音声出力制御部１０８Ａへ出力する。例えば、音声設定検出部１０９Ａは、据置装置１０１Ａに設定される音量や、コンテンツに応じた音声出力モードといった指示を音声設定として検出する。
【００３７】
位置検出部１１０Ａは、通信制御部１１３Ａを介して受信した音声出力補正装置２０１Ａからの信号に基づいて、据置装置１０１Ａに対する音声出力補正装置２０１Ａの位置を検出して音声出力制御部１０８Ａへ出力する。本実施形態においては、第１の実施形態における距離検出手法に加えて、据置装置１０１Ａに取り付け方向の異なる複数の受光素子を備える。複数の受光素子の各々は、据置装置１０１Ａの前面側の異なるエリアをカバーするように設置されている。そして、赤外線を受信した各受光素子の出力レベルを判定することで、据置装置１０１に対する音声出力補正装置２０１Ａの位置（距離及び方向）を検出することができる。
【００３８】
記憶部１１１Ａは、据置装置１０１Ａに対する音声出力補正装置２０１Ａの位置と、出力する音声との関係を示す情報として、予め構成された据置装置１０１Ａに係る音場の情報を記憶する。また、記憶部１１１Ａは、聴取位置が構成された音場における最適な聴取位置（図６に示した例では所定の聴取位置３０８）からずれた場合に、補正音声を生成するために必要な情報を記憶する。
【００３９】
例えば、本実施形態においては、図８に一例を示すようなテーブルデータを記憶する。図８に示すテーブルデータは、図９に示す音場において最適な聴取位置を原点とし、原点からずれた各位置において出力音声を補正すべきスピーカと各スピーカから出力する音声レベルの強度を示している。このようなテーブルデータは、機器特有の設定値が用意されていても、あるいは音場を構成する際に自由に設定できるものであっても構わない。また、このような情報としては、より精度の高い補正を施すための位置と補正情報との関係を示す関数であってもよい。
【００４０】
音声出力制御部１０８Ａは、音声設定検出部１０９Ａから入力された音声設定（設定音量や音声出力モード等）に応じて、音場構成に基づいた音声データを生成し据置装置１０１Ａの音声出力部（第１の出力手段）１１２Ａに出力する。そして、音声出力部１１２Ａの各スピーカから出力される音声によって、原点（最適な聴取位置）において最適な音場が構成される。
【００４１】
また、音声出力制御部１０８Ａは、位置検出部１１０Ａから入力された位置情報を基に、記憶部１１１Ａに記憶されているテーブルデータを参照する。音声出力制御部１０８Ａは、音声設定検出部１０９Ａから入力された音声設定（音量や音声出力モード等）の情報とテーブルの参照値とから、音声出力補正装置２０１Ａの音声出力部（第２の出力手段）２０４Ａから出力する音声データを生成する。そして、音声出力制御部１０８Ａは、生成した音声データを、通信制御部１１３Ａを介して音声出力補正装置２０１Ａに送信する。
【００４２】
図１０は、第２の実施形態に係る音声出力システムにおける音声出力制御部１０８Ａでの処理の一例を示すフローチャートである。
【００４３】
まず、ステップＳ２０にて、音声出力制御部１０８Ａは、音声設定検出部１０９Ａから音声設定（音量や音声出力モード）が入力される。ステップＳ２１にて、音声出力制御部１０８Ａは、位置検出部１１０Ａから位置情報（据置装置１０１Ａに対する音声出力補正装置２０１Ａの位置）が入力される。
【００４４】
次に、ステップＳ２２にて、音声出力制御部１０８Ａは、ステップＳ２１において入力された位置情報を基に、音声出力補正装置２０１Ａの位置が予め構成された音場の原点（所定の聴取位置）からずれを生じているか否かを判断する。
【００４５】
その判断の結果、音場の原点（所定の聴取位置）に対するずれを生じている場合には、ステップＳ２３にて、音声出力制御部１０８Ａは、図８に示すテーブルデータを参照し、ステップＳ２１において入力された位置情報に基づいた補正データを取得する。そして、ステップＳ２４にて、音声出力制御部１０８Ａは、ステップＳ２３において取得した補正データとステップＳ２０において入力された音声設定とから、音声出力補正装置２０１Ａから出力する補正音声の音声データを生成する。
【００４６】
次に、ステップＳ２５にて、音声出力制御部１０８Ａは、ステップＳ２４において生成した補正音声に係る音声データ（音声信号）を音声出力補正装置２０１Ａに送信する。また、ステップＳ２６にて、音声出力制御部１０８Ａは、据置装置１０１Ａから本来実現する音場再生のための基本音声の音声データ（音声信号）を生成して、据置装置１０１Ａの音声出力部１１２Ａに出力する。
【００４７】
一方、ステップＳ２２での判断の結果、音声出力補正装置２０１Ａの位置と音場の原点がずれていない場合には、ステップＳ２７にて、音声出力制御部１０８Ａは、据置装置１０１Ａで本来実現する音場再生のための基本音声の音声データ（音声信号）を生成する。そして、音声出力制御部１０８Ａは、生成した音声データ（音声信号）を据置装置１０１Ａの音声出力部１１２Ａに出力する。
【００４８】
以上のようにして、視聴者の聴取位置と音場の原点（所定の聴取位置）とにずれが生じている場合には、据置装置１０１Ａの音声出力部１１２Ａからの音声出力に加えて、音声出力補正装置２０１Ａの音声出力部２０４Ａから補正音声が出力される。
【００４９】
第２の実施形態によれば、音声出力補正装置２０１Ａの位置が据置装置１０１Ａにおいて予め設定された音場の最適な聴取位置からずれていた場合には、音声出力補正装置２０１Ａからずれた音場を補正するための音声を出力する。これにより、据置装置１０１Ａにおける音場の最適な聴取位置と視聴者の聴取位置がずれた場合であっても、最適な音声を聴取することが可能となる。
【００５０】
なお、上述した各実施形態は、視聴者が複数であっても、すなわち複数の音声出力補正装置２０１（２０１Ａ）が存在する場合であっても適用することが可能である。複数の音声出力補正装置２０１（２０１Ａ）がある場合には、位置検出部１１０（１１０Ａ）が各々の音声出力補正装置２０１（２０１Ａ）の位置を検出する。また、音声設定検出部１０９（１０９Ａ）が各々の音声出力補正装置２０１（２０１Ａ）による音声設定を検出する。
【００５１】
そして、音声出力制御部１０８（１０８Ａ）が、各音声出力補正装置２０１（２０１Ａ）の位置にて音声設定に応じて再現される音声と、据置装置１０１（１０１Ａ）から出力される音声との差分の音声（補正音声）に係る音声データ（音声信号）を生成する。この生成した補正音声に係る音声データを音声出力補正装置２０１（２０１Ａ）に送信する。そして、音声出力補正装置２０１（２０１Ａ）の各々が音声データに従って音声を出力することで、各音声出力補正装置２０１（２０１Ａ）の位置で最適な音声を聴取することが可能となる。
【００５２】
また、上述した各実施形態は、複数の機器から構成されるシステムの１部として適用しても、１つの機器からなる装置の１部に適用してもよい。
【００５３】
（本発明の他の実施形態）
上述した実施形態の機能を実現するべく各種のデバイスを動作させるように、該各種デバイスと接続された装置又はシステム内のコンピュータ（ＣＰＵ又はＭＰＵ）に対し、前記実施形態の機能を実現するためのソフトウェアのプログラムを供給する。そして、そのシステム又は装置のコンピュータに格納されたプログラムに従って前記各種デバイスを動作させることによって実施したものも、本発明の範疇に含まれる。
また、この場合、前記ソフトウェアのプログラム自体が上述した実施形態の機能を実現することになり、そのプログラム自体は本発明を構成する。また、そのプログラムをコンピュータに供給するための手段、例えばかかるプログラムを格納した記録媒体は本発明を構成する。かかるプログラムを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
また、供給されたプログラムがコンピュータにて稼働しているオペレーティングシステム又は他のアプリケーションソフト等と共同して上述の実施形態の機能が実現される場合にもかかるプログラムは本発明の実施形態に含まれることは言うまでもない。
さらに、供給されたプログラムがコンピュータに係る機能拡張ボードや機能拡張ユニットに備わるメモリに格納された後、そのプログラムの指示に基づいてその機能拡張ボード等に備わるＣＰＵ等が実際の処理の一部又は全部を行う。その処理によって上述した実施形態の機能が実現される場合にも本発明に含まれることは言うまでもない。
【００５４】
例えば、第１及び第２の実施形態に示した据置装置（第１の出力装置、出力制御装置）は、図１１に示すようなコンピュータ機能７００を有し、そのＣＰＵ７０１により第１及び第２の実施形態での動作が実施される。
コンピュータ機能７００は、図１１に示すように、ＣＰＵ７０１と、ＲＯＭ７０２と、ＲＡＭ７０３とを備える。また、操作部（ＣＯＮＳ）７０９のコントローラ（ＣＯＮＳＣ）７０５と、ＣＲＴやＬＣＤ等の表示部としてのディスプレイ（ＤＩＳＰ）７１０のディスプレイコントローラ（ＤＩＳＰＣ）７０６とを備える。さらに、ハードディスク（ＨＤ）７１１、及びフレキシブルディスク等の記憶デバイス（ＳＴＤ）７１２のコントローラ（ＤＣＯＮＴ）７０７と、ネットワークインタフェースカード（ＮＩＣ）７０８とを備える。それら機能部７０１、７０２、７０３、７０５、７０６、７０７、７０８は、システムバス７０４を介して互いに通信可能に接続された構成としている。
ＣＰＵ７０１は、ＲＯＭ７０２又はＨＤ７１１に記憶されたソフトウェア、又はＳＴＤ７１２より供給されるソフトウェアを実行することで、システムバス７０４に接続された各構成部を総括的に制御する。すなわち、ＣＰＵ７０１は、上述したような動作を行うための処理プログラムを、ＲＯＭ７０２、ＨＤ７１１、又はＳＴＤ７１２から読み出して実行することで、第１及び第２の実施形態での動作を実現するための制御を行う。ＲＡＭ７０３は、ＣＰＵ７０１の主メモリ又はワークエリア等として機能する。
ＣＯＮＳＣ７０５は、ＣＯＮＳ７０９からの指示入力を制御する。ＤＩＳＰＣ７０６は、ＤＩＳＰ７１０の表示を制御する。ＤＣＯＮＴ７０７は、ブートプログラム、種々のアプリケーション、ユーザファイル、ネットワーク管理プログラム、及び第１及び第２の実施形態における前記処理プログラム等を記憶するＨＤ７１１及びＳＴＤ７１２とのアクセスを制御する。ＮＩＣ７０８はネットワーク７１３上の他の装置と双方向にデータをやりとりする。
【００５５】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００５６】
１０１、１０１Ａ  据置装置
１０２  放送受信部
１０３  デコーダ部
１０４  画像処理部
１０５  表示制御部
１０６  表示パネル
１０７  音声処理部
１０８、１０８Ａ  音声出力制御部
１０９、１０９Ａ  音声設定検出部
１１０、１１０Ａ  位置検出部
１１１、１１１Ａ  記憶部
１１２、１１２Ａ  音声出力部
１１３、１１３Ａ  通信制御部
２０１、２０１Ａ  音声出力補正装置
２０２  操作入力部
２０３、２０３Ａ  通信制御部
２０４、２０４Ａ  音声出力部
【図１】
2010200280.tif 000003
【図２】
2010200280.tif 000004
【図３】
2010200280.tif 000005
【図４】
2010200280.tif 000006
【図５】
2010200280.tif 000007
【図６】
2010200280.tif 000008
【図７】
2010200280.tif 000009
【図８】
2010200280.tif 000010
【図９】
2010200280.tif 000011
【図１０】
2010200280.tif 000012
【図１１】
2010200280.tif 000013